(57)【特許請求の範囲】
【請求項１】
閉鎖性遠位大腿骨骨切り術によって切開された大腿骨に設置される遠位大腿骨骨切り術用の固定器具であって、
前記大腿骨に密着し、複数の結合孔及び長孔が形成される胴体部、
前記胴体部の一端と連結され、複数の行をなし各行に複数の結合孔が形成されるヘッド部、
前記結合孔に挿入されるネジ、及び
前記長孔に結合位置を調節して挿入される摺動ネジを含み、
前記ヘッド部は前記胴体部の下面を基準に上方向に一定の傾斜角を有するように形成され、前記ヘッド部の一側面は前記胴体部の下面を基準に２０〜２２度の傾斜角を有し、他側面は２４〜２６度の傾斜角を有し、
前記ヘッド部の上部面において第１行に形成される前記結合孔の中心部を連結する線は前記胴体部の下面を基準とする基準線を基準に３〜５度の傾斜を有し、前記ヘッド部の下部面において第１行に形成される前記結合孔の中心部を連結する線は前記胴体部の下面を基準とする基準線を基準に５〜７度の傾斜を有することを特徴とする閉鎖性遠位大腿骨骨切り術用の固定器具。
【請求項２】
前記ヘッド部は、
前記胴体部を基準に左側または右側にねじれて前記胴体部と結合することを特徴とする、請求項１に記載の閉鎖性遠位大腿骨骨切り術用の固定器具。
【請求項３】
前記ヘッド部と前記胴体部は湾曲するように形成されて前記大腿骨に密着することを特徴とする、請求項２に記載の閉鎖性遠位大腿骨骨切り術用の固定器具。
【請求項４】
前記ヘッド部に結合される前記ネジは特定点に向かうように結合することを特徴とする、請求項２に記載の閉鎖性遠位大腿骨骨切り術用の固定器具。
【請求項５】
前記ヘッド部の下部面において第２行に形成される前記結合孔の中心部を連結する線は前記胴体部の下面を基準とする基準線を基準に１．５〜２．５度の傾斜を有することを特徴とする、請求項１に記載の閉鎖性遠位大腿骨骨切り術用の固定器具。
【請求項６】
前記胴体部の一側面はヘッド部の側面を基準に一定の傾斜を有するように形成されることを特徴とする、請求項１〜５のいずれか一項に記載の閉鎖性遠位大腿骨骨切り術用の固定器具。
【請求項７】
前記胴体部は７〜９度の角度を有することを特徴とする、請求項６に記載の閉鎖性遠位大腿骨骨切り術用の固定器具。
【請求項８】
前記複数の行は各々２個の結合孔が形成され、
前記結合孔の第１列に挿入されるネジは前記胴体部の下面に垂直する基準線を基準に１３〜１５度の傾斜角を有し、
第２列に挿入される前記ネジは前記胴体部の下面に垂直する基準線を基準に１７〜１９度の傾斜角を有するように形成されることを特徴とする、請求項１〜７のいずれか一項に記載の閉鎖性遠位大腿骨骨切り術用の固定器具。
【請求項９】
前記ヘッド部または前記胴体部にはガイドピンが固定されるための少なくとも一つのガイドホールが形成されることを特徴とする、請求項１〜８のいずれか一項に記載の閉鎖性遠位大腿骨骨切り術用の固定器具。
【発明の詳細な説明】
【技術分野】
【０００１】
本発明は、遠位大腿骨骨切り術用の固定器具に関する。より詳しくは、本発明は、遠位部大腿の閉鎖性骨切り術の後にプレートを固定して堅固な固定力を確保する遠位大腿骨骨切り術用の固定器具に関する。
【背景技術】
【０００２】
一般に、退行性関節炎においては、膝が外側に曲がるＸ脚に変形がなされ、その他にも先天的なものや生活習慣による後天的な要因、または既にあった骨折あるいは虚血壊死等の他の疾患により膝関節の整列が非正常的に変形される場合がある。
【０００３】
この場合、手術的な方法のうちの一つとして膝関節骨切り術があり、これは下肢の非正常的な軸を正すことによって膝関節に与えられる荷重をより健康な関節面に移して応力の分布と関節整列を改善して痛みを改善する治療方法である。
【０００４】
膝関節骨切り術は人工膝関節置換術とは異なって自身の関節を保存できる方法であって、人工関節手術の時期を遅らせることができ、関節運動範囲が手術前とほぼ類似するように維持できるという長所がある。
【０００５】
膝関節骨切り術の一実施形態である遠位大腿部骨切り術の施行時、一定量の骨を切った後に必要な角度だけ骨を無くし、骨を接合した後、プレートとネジを用いて切開された骨を固定する。
しかし、このような従来のプレートにおいては、韓国人の体形に合わず、骨切り術部位の角度が合わないため、手術後に合併症が発生するという問題があった。
【先行技術文献】
【特許文献】
【０００６】
【特許文献１】大韓民国登録特許第１０−０９１６３３４号
【発明の概要】
【発明が解決しようとする課題】
【０００７】
本発明の実施形態は、プレートのヘッド部を回転させて堅固な結合力を有することができる遠位大腿骨骨切り術用の固定器具を提供する。
また、ヘッド部に角度を形成してネジが骨を離脱しないようにする遠位大腿骨骨切り術用の固定器具を提供する。
【課題を解決するための手段】
【０００８】
本発明の好ましい一実施形態である閉鎖性遠位大腿骨骨切り術用の固定器具は、閉鎖性遠位大腿骨骨切り術によって切開された大腿骨に設置される遠位大腿骨骨切り術用の固定器具であって、前記大腿骨に密着し、複数の結合孔及び長孔が形成される胴体部、前記胴体部の一端と連結され、複数の結合孔が形成されるヘッド部、前記結合孔に挿入されるネジ、及び前記長孔に結合位置を調節して挿入される摺動ネジを含み、前記ヘッド部は前記ヘッド部の下面を基準に上方向に一定の傾斜角を有するように形成されることを特徴とする。
【０００９】
好ましくは、前記ヘッド部は、前記胴体部を基準に左側または右側にねじれて前記胴体部と結合することを特徴とする。
【００１０】
好ましくは、前記ヘッド部には複数の行をなす結合孔が形成され、各行には複数の結合孔が形成されることを特徴とする。
【００１１】
好ましくは、前記ヘッド部と前記胴体部は湾曲するように形成されて前記大腿骨に密着することを特徴とする。
【００１２】
好ましくは、前記ヘッド部に結合される前記ネジは特定点に向かうように結合することを特徴とする。
【００１３】
好ましくは、前記ヘッド部の上部面において第１行に形成される前記結合孔の中心部を連結する線は基準線を基準に３〜５度の傾斜を有することを特徴とする。
【００１４】
好ましくは、前記ヘッド部の下部面において第１行に形成される前記結合孔の中心部を連結する線は基準線を基準に５〜７度の傾斜を有することを特徴とする。
【００１５】
好ましくは、前記ヘッド部の下部面において第２行に形成される前記結合孔の中心部を連結する線は基準線を基準に１．５〜２．５度の傾斜を有することを特徴とする。
【００１６】
好ましくは、前記ヘッド部の一側面は前記胴体部を基準に２０〜２２度の傾斜角を有し、他側面は２４〜２６度の傾斜角を有することを特徴とする。
【００１７】
好ましくは、前記胴体部の一側面はヘッド部の側面を基準に一定の傾斜を有するように形成されることを特徴とする。
【００１８】
好ましくは、前記胴体部は７〜９度の角度を有することを特徴とする。
【００１９】
好ましくは、前記複数の行は各々２個の結合孔が形成され、前記結合孔の第１列に挿入されるネジは基準線を基準に１３〜１５度の傾斜角を有し、第２列に挿入される前記ネジは基準線を基準に１７〜１９度の傾斜角を有するように形成されることを特徴とする。
【００２０】
好ましくは、前記ヘッド部または前記胴体部にはガイドピンが固定されるための少なくとも一つのガイドホールが形成されることを特徴とする。
【００２１】
好ましくは、前記複数の行は各々２個の結合孔が形成され、前記結合孔の第２行に挿入されるネジは垂直線を基準に１６〜１８度の傾斜を有することを特徴とする。
【発明の効果】
【００２２】
本発明の一実施形態による遠位大腿骨骨切り術用の固定器具によれば、ヘッド部を回転させてプレートと骨を堅固に結合できるという効果がある。
【００２３】
また、ヘッド部に角度を形成してネジが骨から離脱しないため、手術後の合併症の発生を減少できるという効果がある。
【図面の簡単な説明】
【００２４】
【図１】本発明の好ましい一実施形態による遠位大腿骨骨切り術用の固定器具が大腿骨に結合した状態を示す図である。
【図２】本発明の構成要素であるプレートの形状を示す図である。
【図３】図２のプレートにおいて胴体部とヘッド部が結合する結合角を示す図である。
【図４】本発明の好ましい一実施形態による遠位大腿骨骨切り術用の固定器具の結合状態を示す図である。
【図５】本発明の好ましい一実施形態によるヘッド部に結合したネジに形成される結合角を示す図である。
【図６】本発明の好ましい一実施形態によるヘッド部の一側の傾斜を示す図である。
【図７】本発明の好ましい一実施形態によるヘッド部の他側の傾斜を示す図である。
【図８】本発明の好ましい一実施形態によるヘッド部の下面の傾斜を示す図である。
【図９】本発明の好ましい一実施形態によるヘッド部の上面の傾斜を示す図である。
【発明を実施するための形態】
【００２５】
以下、本発明の好ましい実施形態を添付図面を参照し、本発明の実施形態による遠位大腿骨骨切り術用の固定器具を詳細に説明する。先ず、各図面の構成要素に参照符号を付する際、同一の構成要素に対しては他の図面上に表示される時にも可能な限り同一の符号を付するようにしていることに留意しなければならない。また、以下では本発明の好ましい実施形態を説明するが、本発明の技術的思想はこれに限定または制限されず、当業者によって変形されて多様に実施できることは勿論である。
【００２６】
図１は、本発明の好ましい一実施形態による遠位大腿骨骨切り術用の固定器具が大腿骨に結合した状態を示す図である。
【００２７】
図１を参照すれば、大腿骨２を切開する遠位大腿骨切開術の施術により切断された切断面３を基準に上部大腿骨２ａと下部大腿骨２ｂに区分される。
【００２８】
本発明の好ましい一実施形態による閉鎖性遠位大腿骨骨切り術用の固定器具１は、前記大腿骨２に密着し、複数の結合孔１４及び長孔１６が形成される胴体部１０、前記胴体部１０の一端と連結され、複数の結合孔３４が形成されるヘッド部３０、前記結合孔１４、３４に挿入されるネジ１２、３２、及び前記長孔１６に挿入される摺動ネジ５４を含むことができる。
【００２９】
プレート１００は胴体部１０とヘッド部３０とを含み、大腿骨２に固定させるためのネジ１２、３２が挿入される複数の結合孔１４、３４が形成されることができる。
【００３０】
胴体部１０は細長型に形成され、複数の結合孔１４が胴体部１０の長さ方向に形成されることができる。胴体部１０に形成される結合孔１４は一定間隔を有するように形成されて支持力を均一に分布させることができる。胴体部１０に形成される結合孔１４を貫通するネジ１２、３２は上部大腿骨２ａと直角の方向に結合することができる。胴体部１０に結合するネジ１２、３２の長さは上部大腿骨２ａの直径に応じて様々な変形実施が可能である。
【００３１】
胴体部１０に形成される長孔１６には摺動ネジ５４が結合することができる。遠位大腿骨骨切り術の施術時、必要なだけの骨を切断し、切断面３を連結して下肢の非正常的な軸を正すようになる。この時、切断面３は一定の位置に形成されなくてもよい。長孔１６には摺動ネジ５４が結合し、摺動ネジ５４は切断面３の位置に応じて移動して大腿骨２と結合することができる。摺動ネジ５４は切断面３を貫通しないように上部大腿骨２ａに挿入されることができる。
【００３２】
図２は本発明の構成要素であるプレートの形状を示す図であり、図３は本発明の構成要素である胴体部の角度を示す図である。
【００３３】
図２及び図３を参照すれば、本発明の好ましい実施形態による閉鎖性遠位大腿骨骨切り術用の固定器具１のプレート１００は手術部位に応じて左側用と右側用に区分され、左側用と右側用は対称構造を有する。
【００３４】
胴体部１０は上部大腿骨２ａと結合し、細長型の形状を有することができる。一実施形態として、胴体部１０は上部大腿骨２ａから切断面３に行くほど幅が広くなるように形成されることができる。これは、胴体部１０が切断面３と結合時に荷重を安定的に支持するためである。
【００３５】
胴体部１０に形成される結合孔１４、３４は胴体部１０の長さ方向に複数で備えられることができる。胴体部１０に形成される結合孔１４、３４は一定間隔に形成され、ネジ１２、３２が挿入されて手術部位を安定的に支持することができる。
【００３６】
胴体部１０の一端、すなわち、ヘッド部３０と結合する側には長孔１６が形成されることができる。長孔１６は胴体部１０の長さ方向に形成され、摺動ネジ５４結合時に摺動ネジ５４の位置調節をすることができる。長孔１６は結合位置を調節して人体工学的に設計されたプレート１００が大腿骨２に密着できるようにし、プレート１００が荷重を安定的に支持できるようにする。
【００３７】
ヘッド部３０は胴体部１０の一端と連結され、複数の結合孔３４が形成されることができる。ヘッド部３０は胴体部１０の幅より広く形成され、下部大腿骨２ｂと結合することができる。
【００３８】
ヘッド部３０に形成される結合孔３４は複数の行及び複数の列をなすように形成されることができ、各々の結合孔３４にはネジ３２が挿入されて下部大腿骨２ｂとプレート１００を固定させる。
【００３９】
一実施形態として、ヘッド部３０に形成される結合孔３４は複数の行を形成し、各行には複数の結合孔３４が形成されることができる。好ましくは、ヘッド部３０に形成される結合孔３４は２行２列に形成されることができる。このような結合孔３４の配列はヘッド部３０の形状に応じて様々な変形実施が可能である。
【００４０】
胴体部１０とヘッド部３０は必要に応じて区分したが、一体に形成されてもよい。胴体部１０とヘッド部３０の厚さは４〜６ｍｍの厚さに形成され、好ましくは、５ｍｍの厚さに形成されることができる。胴体部１０とヘッド部３０の厚さは手術を受ける人の年齢及び骨厚さに応じて様々な変形実施が可能である。
【００４１】
胴体部１０の側面はヘッド部３０の側面を基準に一定角度が形成されることができる。一実施形態として、胴体部１０の側面がヘッド部３０の側面を基準に形成する角度は７〜９度の角度を有するように形成されることができる。胴体部１０がヘッド部３０を基準に一定角度を有するということはプレート１００が大腿骨２に密着して結合するようにするためである。胴体部１０が形成する角度は一実施形態に過ぎず、様々な変形実施が可能である。
【００４２】
プレート１００にはガイドピン（図示せず）が固定されるための少なくとも一つのガイドホール４０が形成されることができる。ネジ１２、３２を挿入する前に、ガイドピン（図示せず）を設けてプレート１００を臨時に固定することができる。
【００４３】
これは、プレート１００に形成される結合孔１４、３４にネジ１２、３２を挿入する時、プレート１００が流動するのを防止するためである。プレート１００が設けられた後にはガイドピン（図示せず）が除去される。
【００４４】
一実施形態として、ガイドホール４０はヘッド部３０を固定するためにヘッド部３０側に少なくとも一つが形成され、胴体部１０の揺れを防止するために胴体部１０側にも少なくとも一つが形成されることができる。
【００４５】
図４は本発明の好ましい一実施形態による閉鎖性遠位大腿骨骨切り術用の固定器具の結合状態を示す図であり、図５は本発明の好ましい一実施形態によるヘッド部に結合したネジに形成される結合角を示す図である。
【００４６】
図４及び図５を参照すれば、ヘッド部３０は胴体部１０を基準に一定の傾斜を有するように形成されることができる。この時、ヘッド部３０に結合するネジ３２は垂直線を基準に一定の傾斜角を有することができる。ネジ３２の傾斜角はヘッド部３０の傾斜によって自然に発生しうるし、結合孔３４の角度に応じて変形されることができる。
【００４７】
一実施形態として、結合孔３４は２行２列に形成され、第２行の結合孔３４に結合するネジ３２は垂直線を基準に１６〜１８度の傾斜角を有するように形成されることができる。
【００４８】
また、第１列及び第２列の結合孔３４と結合するネジ３２は特定点に向かうように結合することができる。これは、ヘッド部３０が下部大腿骨２ｂと結合時にネジ３２が下部大腿骨２ｂを貫通するのを防止して、下部大腿骨２ｂとの結合を安定的に維持するためである。
【００４９】
一実施形態として、ヘッド部３０に挿入されるネジ３２は下部大腿骨２ｂと結合時に基準線を基準に一定角度を形成することができる。プレート１００を側面に立てた場合、ヘッド部３０の第１列に結合するネジ３２は水平線を基準に１３〜１５度の傾斜角を有し、第２列に結合するネジ３２は水平線を基準に１７〜１９度の傾斜角を有することができる。
ヘッド部３０に結合されるネジ３２の結合角は下部大腿骨２ｂの厚さに応じて様々な変形実施が可能である。
【００５０】
図６は本発明の好ましい一実施形態によるヘッド部の一側の傾斜を示す図であり、図７は本発明の好ましい一実施形態によるヘッド部の他側の傾斜を示す図である。
【００５１】
図６及び図７を参照すれば、本発明の好ましい一実施形態によるヘッド部３０は胴体部１０を基準に左側または右側にねじれるように形成されることができる。これは、大腿骨２の骨格構造に合わせて下部大腿骨２ｂにヘッド部３０が密着するようにするためである。ヘッド部３０が胴体部１０を基準にツイストされることにより、ヘッド部３０の一側面と他側面がなす角度は異なりうる。
【００５２】
一実施形態として、ヘッド部３０の一側面は胴体部１０を基準に２０〜２２度の傾斜角を有するように形成され、他側面は２４〜２６度の傾斜角を有するように形成されることができる。ヘッド部３０の傾斜角は下部大腿骨２ｂの形状に応じて様々な変形実施が可能である。
【００５３】
図８は本発明の好ましい一実施形態によるヘッド部の下面の傾斜を示す図であり、図９は本発明の好ましい一実施形態によるヘッド部の上面の傾斜を示す図である。
【００５４】
図８及び図９を参照すれば、プレート１００は大腿骨２の外周面と密着するために一定曲率を有するように湾曲して形成されることができる。プレート１００の曲率は制限がなく、様々な変形実施が可能である。
【００５５】
プレート１００のヘッド部３０は胴体部１０を基準に上方に傾斜を有するように形成され、前記で言及したように胴体部１０を基準に左側または右側にねじれるように形成されることができる。
【００５６】
ヘッド部３０の上部面において第１行に形成される結合孔３４の中心部を連結する線は基準線、すなわち、水平線を基準に３〜５度の傾斜角を有するように形成されることができる。
【００５７】
また、ヘッド部３０の下部面において第１行に形成される結合孔３４の中心部を連結する線は水平線を基準に５〜７度の傾斜角を有するように形成され、第２行に形成される結合孔３４の中心部を連結する線は水平線を基準に１．５〜２．５の傾斜角を有するように形成されることができる。
【００５８】
このように、ヘッド部３０に形成される結合孔３４部位の傾斜角が異なるということは大腿骨２の形状が一定した曲率を有していないためであり、このような結合孔３４が形成されるヘッド部３０は大腿骨２に密着して結合することができる。
このように、本発明の一実施形態による遠位大腿骨骨切り術用の固定器具によれば、ヘッド部を回転させてプレートと骨を堅固に結合できるという効果がある。
また、ヘッド部に角度を形成してネジが骨から離脱しないため、手術後の合併症の発生を減少できるという効果がある。
【００５９】
以上の説明は本発明の技術思想を例示的に説明したものに過ぎず、本発明が属する技術分野で通常の知識を有した者であれば、本発明の本質的な特性から逸脱しない範囲内で様々な修正、変更及び置換が可能である。よって、本発明に開示された実施形態及び添付された図面は本発明の技術思想を限定するためのものではなく説明するためのものであって、このような実施形態及び添付された図面によって本発明の技術思想の範囲が限定されるものではない。本発明の保護範囲は下記の請求範囲によって解釈しなければならず、それと同等な範囲内にある全ての技術思想は本発明の権利範囲に含まれると解釈しなければならない。
【図１】
0006406779.tif 000002
【図２】
0006406779.tif 000003
【図３】
0006406779.tif 000004
【図４】
0006406779.tif 000005
【図５】
0006406779.tif 000006
【図６】
0006406779.tif 000007
【図７】
0006406779.tif 000008
【図８】
0006406779.tif 000009
【図９】
0006406779.tif 000010